(57)【要約】  【課題】  締結部の変形等を招くことなくベルトの曲げ剛性を小さくできるようにして、異形断面の管路接続部に対しても均一な緊縛力を付与できるようにする。  【解決手段】  ベルト２の一端部の近傍にベルト幅の狭い狭幅部３を形成し、ベルト２の他端部の近傍に長孔４を形成する。狭幅部３を長孔４に挿入してベルト２の両端部を交差させ、交差させたベルト２の一方の端部にボルト５を固定するとともに、他方の端部にこのボルト５に螺合されるナット６を固定する。ナット６はフレーム部材７に回転を規制した状態で軸方向変位可能に案内させ、ボルト５の先端部はフレーム部材７に回転可能に支持させる。  【選択図】  図１
2005188585.tif 000002
【特許請求の範囲】
【請求項１】
管路接続部の外周にベルトを巻回し、そのベルトによって管路接続部を緊縛固定するクランプ装置において、
前記ベルトの一端部の近傍にベルト幅の狭い狭幅部を設けるとともに、前記ベルトの他端部の近傍に挿通孔を設け、
前記ベルトの狭幅部を挿通孔に挿入してベルトの両端部を交差させ、
交差させたベルトの一方の端部にボルトを固定するとともに、他方の端部にこのボルトに螺合されるナットを固定し、
前記ボルトの回動操作に伴なうナットの軸方向変位によってベルトに緊縛力を付与することを特徴とするクランプ装置。
【請求項２】
前記挿通孔をベルト長手方向に延出する長孔によって構成するとともに、前記狭幅部のベルト長手方向中央側の端部に前記長孔のベルト幅方向の縁部に当接する肩部を設けたことを特徴とする請求項１に記載のクランプ装置。
【請求項３】
前記肩部を、ベルトの狭幅部に連続する円弧状に形成したことを特徴とする請求項２に記載のクランプ装置。
【請求項４】
前記ナットの回転を規制した状態でそのナットの進退作動を案内するフレーム部材を設け、前記ボルトをこのフレーム部材に回転自在に支持させたことを特徴とする請求項１〜３のいずれかに記載のクランプ装置。
【発明の詳細な説明】
【技術分野】
【０００１】
本発明は、車両用吸気ダクト等の管路接続部を緊縛固定するクランプ装置に関する。
【背景技術】
【０００２】
この種のクランプ装置として、特許文献１に記載されるようなものが案出されている。
【０００３】
このクランプ装置は、一本のワイヤを中央で二つ折れに折曲して、その二つ折れ折曲部から二股状に延びる二本のワイヤ延出部を管路接続部の外周に巻回し、二つ折れ折曲部と二本のワイヤ延出部の先端部を交差させた状態でボルト・ナットによって締結するようになっている。
【０００４】
具体的には、ワイヤ延出部の両端部は屈曲され、この屈曲部分が板状ナットの係止孔に嵌入係合されており、ボルトは、その板状ナットに螺合され、そのナットを貫通した先端部が止め金を介して二つ折れ折曲部に係合されている。したがって、ボルトが板状ナットに対して締め込まれると、二つ折れ折曲部とワイヤ延出部の交差量が増大し、その結果、管路接続部がワイヤによって緊縛固定される。
【０００５】
ところが、このクランプ装置は、ワイヤによって管路接続部を締め込むものであるため、管路接続部に対して接触面積が少ないので絶対的な緊縛力が弱く、管路接続部を周方向に均一に締め込めず、ワイヤの追従性の低下を招くとともに、ワイヤが管路接続部表面に食い込み傷付けてしまう。また、このクランプ装置は、構造上二つ折れ折曲部やワイヤ両端の屈曲部分に応力が集中するため、一定以上ボルトを締め込むと、その部分が変形する等して充分な支持剛性を維持できなくなり、ボルトの締結力を有効に管路接続部の緊縛力に変換できない。
【０００６】
これに対処し得るクランプ装置として、特許文献２に記載されるようなものが案出されている。
【０００７】
このクランプ装置は、管路接続部を薄板状のベルトによって締め付けるものであり、ベルトの一端部に回動操作可能にウォームを設け、他端部に前記ウォームと噛合する複数のラック溝を設けた構成となっている。このクランプ装置では、ウォームの回転操作によってラック溝の噛合位置を移動させ、それによってベルトを締め上げて管路接続部を緊縛固定する。
【特許文献１】特開平７-２２４８１０号公報
【特許文献２】特開２００３−２８３６６号公報
【発明の開示】
【発明が解決しようとする課題】
【０００８】
特許文献２に記載のクランプ装置は、ワイヤに代えてベルトを用いるため、緊縛固定時の接続管路部に対しての接触面積が多く、絶対的な緊縛力は比較的高まり、管路接続部のくい込み、損傷等も低減される。一方、このクランプ装置はベルトのラック部にウォームを噛合わせてウォームの回転操作により管路接続部を緊縛固定する機構のため、ベルトをある程度以上の厚さにする必要がある。したがって、ベルトの曲げ剛性を下げるために板厚をある程度以下に薄くすると、ウォームに噛合うラック溝が変形し易くなってしまい、ウォームの回転操作による締め上げができなくなってしまう。このため、このクランプ装置においては、ベルトの板厚をある程度以下に薄くすることができず、ベルトの曲げ剛性を下げて追従性を高める必要のある楕円形や長方形等の異形断面の管路接続部に対して均一な緊縛力を付与することがむずかしい。
【０００９】
そこで本発明は、締結部の変形等を招くことなくベルトの曲げ剛性を低く抑えつつ、異形断面の管路接続部に対しても均一な緊縛力を付与することのできるクランプ装置を提供しようとするものである。
【課題を解決するための手段】
【００１０】
上述した課題を解決するための手段として、本発明は、ベルトの一端部の近傍にベルト幅の狭い狭幅部を設けるとともに、ベルトの他端部の近傍に挿通孔を設け、前記ベルトの狭幅部を挿通孔に挿入してベルトの両端部を交差させ、交差させたベルトの一方の端部にボルトを固定するとともに、他方の端部にこのボルトに螺合されるナットを固定し、前記ボルトの回動操作に伴なうナットの軸方向変位によってベルトに緊縛力を付与するようにした。
【００１１】
この発明の場合、ボルトの回動操作によってナットが軸方向に変位すると、ベルトの両端部の交差量が増大し、ベルトの緊縛力が管路接続部に付与される。また、この発明のクランプ装置の場合、ベルトの端部はベルトとナットによって単に引っ張られるだけであるため、ベルトの曲げ剛性を下げるためにベルトの厚みを薄くしても、噛み合い構造を持つ従来のもののようにベルトに変形や損傷を生じるようなことはない。
【００１２】
前記挿通孔はベルト長手方向に延出する長孔によって構成し、前記狭幅部のベルト長手方向中央側の端部には前記長孔のベルト幅方向の縁部に当接する肩部を設けるようにしても良い。
【００１３】
この場合、ボルトの回動操作によってベルトの両端部の交差量が増減変化すると、ベルトの狭幅部が長孔内を移動し、このとき肩部が長孔のベルト幅方向の縁部に当接する。そして、こうして肩部が長孔の縁部に当接した状態でベルトの交差量が増減変化すると、このときのベルトの倒れや捩れは肩部によるガイド作用によって防止される。
【００１４】
前記肩部は、ベルトの狭幅部に連続する円弧状に形成することが望ましく、このように円弧状に形成した場合には肩部に応力集中が生じにくくなる。したがって、ベルトの破断や強度低下を未然に防止することができる。
【００１５】
また、前記ナットの回転を規制した状態でそのナットの進退作動を案内するフレーム部材を設け、前記ボルトをこのフレーム部材に回転自在に支持させるようにしても良い。
【００１６】
この場合、ボルトとナットの姿勢がフレーム部材によって略一定に維持されるため、ボルトによる回動操作を安定して行うことができる。
【発明の効果】
【００１７】
本発明は、ベルトの狭幅部を挿通孔に挿入してベルトの両端部を交差させ、その交差させたベルトの両端部にボルトとナットによって引っ張り力を付与するものであるため、ベルトの肉厚を薄くしてもベルトの締結部に変形が生じることがない。したがって、ベルトの肉厚を薄くしてベルトを管路接続部の外周に柔軟に追従させることができるため、異形断面の管路接続部に対しても均一な緊縛力を付与することができる。
【００１８】
また、本発明は、ベルトを完全に交差させてベルトの両端部に引っ張り力を付与する構造であるため、ベルトによる圧迫力を管路接続部の外周面全域に間断なく付与することができ、その結果、ベルトの締め込みによって管路接続部にヨレ、タワミ等の不均一な歪が発生するのを未然に防止することができ、管路接続部の外周面に傷等の損傷を与えることがない。
【発明を実施するための最良の形態】
【００１９】
次に、本発明の最良の実施形態を図面に基づいて説明する。
【００２０】
このクランプ装置は、図２に示すように車両の吸気ダクト等の管路接続部１の外周に巻回される薄肉の金属製のベルト２を備え、そのベルト２による締付けによって管路接続部１を緊縛固定するようになっている。ベルト２は、長手方向全域がほぼ一定幅に形成され、その一端部の近傍には、図７に示すようにベルト一般部に対して幅の狭い狭幅部３がベルト幅方向の中央部に形成されている。また、ベルト２の他端部の近傍には、ベルト長手方向に沿う長孔４が本発明における挿通孔としてベルト幅方向の中央部に形成されている。狭幅部３の幅Ｂ1は長孔４の幅Ｂ2よりも若干狭く形成されている。そして、ベルト２は、図１に示すように円環状に曲げられ、一端部側の狭幅部３が他端部の長孔４に挿入されることによって両端部が交差している。狭幅部３はベルト２の一端側を略９０°捩ることによって長孔４に挿入され、挿入後には、ベルト２自体の弾性によって捩れのない正規姿勢に戻されている。
【００２１】
前記ベルト２の締付け調整幅はベルト２の両端部の交差量によって決定され、その交差量は狭幅部３と長孔４の長さにより設定される。そして、狭幅部３と長孔４の少なくともいずれか一方を長くすれば調整幅を広げることができるが、この実施形態においては、狭幅部３に対して長孔４側を相対的に長くなるように設定している（図７参照。）。したがって、ベルト長手方向中央側の一般部と狭幅部３の間のベルト幅の変化する部分は、長孔４のベルト幅両縁に常時に接触する肩部２ａ，２ａを成している。そして、この肩部２ａ，２ａは狭幅部３に対して滑らかに連続するように円弧状に形成されている。
【００２２】
また、ベルト２の長孔４を有する側の端部はボルト５の先端部に固定され、狭幅部３を有する側の端部はボルト５に螺合されるナット６に固定されている。ボルト５の先端部は断面略コ字状のフレーム部材７に回転自在に支持され、ナット６はそのフレーム部材７に進退作動を案内されるようになっている。
【００２３】
さらに詳しくは、フレーム部材７のコ字形断面の底壁７ａには貫通孔１２が形成されており、この貫通孔１２に、ボルト５の先端に形成されたねじの切られていない縮径部５ａに平ワッシャ１３が挿入された縮径部５ａが挿入された後、もう一枚の平ワッシャ１３を介装した状態で縮径部５ａの先端がかしめ固定されている。ボルト５の先端部はこのようにしてフレーム部材７に回転自在に支持されているが、フレーム部材７の底壁７ａには、ベルト２の長孔４を有する側の端部が底壁７ａの端部で折り返して重合され、このベルト２の端部に形成した丸孔２１ａ，２１ｂが前記ボルト５の先端部に貫通状態で支持固定されている。ここでは、ベルト２の端部の丸孔２１ａ，２１ｂがボルト５の先端部に貫通状態で支持固定されたものを示したが、必ずしも二つの丸孔２１ａ，２１ｂを支持固定する必要はなく、ベルト２の端部の丸孔２１ａをボルト５の先端部に貫通させ、ベルト２の端部が底壁７の端部で折り返しただけでも充分な支持強度を得ることができる。
【００２４】
一方、ナット６は、ボルト５に螺合されるナット本体８に略方形状のガイドプレート９が一体に結合されて成り、ガイドプレート９部分がフレーム部材７の対向壁７ｂ，７ｃ間に摺動自在に、かつ回転を規制された状態で介装されている。そして、ガイドプレート９の上端部には、フレーム部材７の幅方向両側に張り出す矩形状の規制フランジ１０，１０が一体に形成され、この規制フランジ１０，１０がフレーム部材７の対向壁７ｂ，７ｃの上端に対して当接可能となっている。この規制フランジ１０，１０は、フレーム部材７の対向壁７ｂ，７ｃの上端に当接することによってナット６の下方変位を規制するとともに、フレーム部材７の対向壁７ｂ，７ｃの端部上面側に突設されたストッパ突起１１，１１と当接することによってナット６の後退変位（締め込み限界）を規制する。また、ガイドプレート９には、ベルト２の狭幅部３を有する側の端部がガイドプレート９の上端部で折り返して重合され、このベルト２の端部に形成した丸孔２０ａ，２０ｂがナット本体８及びボルト５に貫通状態で支持固定されている。ここでは、ベルト２の狭幅部３側の端部の丸孔２０ａ，２０ｂがナット本体８及びボルト５に支持固定したものを示したが、必ずしも二つの丸孔２０ａ，２０ｂを支持固定する必要はなく、ベルト２の端部の丸孔２０ｂがナット本体８に貫通状態にされ、ガイドプレート９の上端部で折り返しただけでも充分な支持強度を確保することができる。また、ナット本体８は、底壁７ａ側に向けられたものを示しているが、その反対側に向けたものでも良い。
【００２５】
このクランプ装置によって管路接続部１を実際に緊縛固定する場合には、予め、ボルト５の回動操作によってナット６をボルト先端側に前進させ、ベルト２を充分に拡径した状態においてベルト２を管路接続部１の外周側に配置する。そして、この状態からボルト５の回動操作によってナット６をボルト先端部から離間する方向に後退させ、ボルト５とナット６によってベルト２の両端部に引っ張り力を付与することにより、ベルト２の両端部の交差量を増大させる。この結果、クランプ装置のベルト２が次第に管路接続部１の外周面に締め付けられ、管路接続部１が強固に緊縛固定されることとなる。
【００２６】
このクランプ装置は、ベルト２の一端側の狭幅部３を他端側の長孔４に挿入することによってベルト２の端部相互を交差させ、ボルト５とナット６の締め込みによってベルト２の両端部の引っ張り量を変化させるものであるため、ベルト２の肉厚を薄く設定しても、ベルトのラック溝の噛み込み位置がずれる従来のもののようにベルト２に変形が生じる不具合は生じない。したがって、このクランプ装置においては、ベルト２の肉厚を充分に薄くすることによって管路接続部１に対するベルト２の追従性を良好にすることができ、たとえ、管路接続部１が方形状、楕円状、菱形状等の異形断面であってもベルト２を管路接続部１の外周面に柔軟に追従させ、管路接続部１の外周面に均一な緊縛力を付与することができる。
【００２７】
また、このクランプ装置は、ベルト２の両端部を交差させてその両端部に引っ張り力を付与するものであるため、管路接続部１の外周面の周方向にベルト２を間断なく連続して密着させることができる。したがって、ベルト２の締め込みによって管路接続部１の外周に不均一な歪が発生するのを防止し、締め込み対象物に対し傷等の損傷を与えることなく締め込みが行える。さらに、このクランプ装置は、ベルト２の両側の端末部をボルト５とナット６に固定し、ボルト５の回動操作によってベルト２の両側の端末部に引っ張り力を付与するものであるため、ベルト２の締め込み量が増大してもベルト２の端末部が外部に飛び出すことがない。このため、ベルト２の端末部がバタ付くことがなく、特に、車両用吸気ダクトの接続部等に用いる場合には、静粛面に優れるという利点がある。
【００２８】
さらに、この実施形態のクランプ装置は、ベルト２の狭幅部３の端部に設けられた肩部２ａ，２ａが長孔４の幅方向の両縁に常時当接するようになっているため、ベルト２の締め付け時等におけるベルト２の倒れや捩れは肩部２ａ，２ａによるガイド作用によって防止することができる。したがって、このクランプ装置においては、管路接続部１に対する緊縛固定を容易、かつ、確実に行うことができる。
【００２９】
さらに、この実施形態のクランプ装置は、ベルト２の肩部２ａ，２ａが狭幅部３に滑らかに連続する円弧形状に形成されているため、肩部２ａ，２ａと狭幅部３の連接部分に応力集中が生じにくく、強度・耐久性に対する信頼性が高いという利点がある。
【００３０】
また、このクランプ装置は、略コ字状のフレーム部材７でナット６の回転を規制した状態でそのナット６の進退作動を案内するとともに、フレーム部材７の底壁７ａにボルト５の先端部を回転自在に支持させるようになっているため、ボルト５とナット６の姿勢変化をフレーム部材７によって確実に規制することができる。特に、この実施形態では、ナット６にフレーム部材７の上端に張り出す規制フランジ１０，１０が設けられているため、ボルト５の回動操作時におけるボルト頭部の下方への倒れ込み等、締め込みが不安定となるのを確実に防止することができる。
【００３１】
なお、この発明の実施形態は以上で説明したものに限るものでなく、例えば、上記の実施形態ではベルト２の他端近傍に挿通孔として長孔４を形成し、その長孔４にベルト２の一端側の比較的長さの短い狭幅部３を挿入するようにしたが、長孔４に代えてベルト長手方向の長さの短い矩形若しくは楕円状の挿通孔を設け、その挿通孔にベルト長手方向の長さを充分に長くした狭幅部を挿入するようにしても良い。
【図面の簡単な説明】
【００３２】
【図１】本発明の最良の実施の形態を示す斜視図。
【図２】同実施形態を示す側面図。
【図３】同実施形態を示す平面図。
【図４】同実施形態を側面図。
【図５】同実施形態を示す図４のＡ矢視図。
【図６】同実施形態を示す背面図。
【図７】同実施形態を示すベルト単体の平面図。
【符号の説明】
【００３３】
１…管路接続部
２…ベルト
２ａ…肩部
３…狭幅部
４…長孔（挿通孔）
５…ボルト
６…ナット
７…フレーム部材
【図１】
2005188585.tif 000003
【図２】
2005188585.tif 000004
【図３】
2005188585.tif 000005
【図４】
2005188585.tif 000006
【図５】
2005188585.tif 000007
【図６】
2005188585.tif 000008
【図７】
2005188585.tif 000009